(57)【要約】【課題】撮像部で撮像される画像を、居住者の呼出だけでなく、他の用途にも利用可能なインターホン装置、情報端末及びインターホンシステムを提供する。【解決手段】インターホン装置としてのインターホン子機１０は、入力部１０１と、撮像部１１とを備える。撮像部１１は、入力部１０１が情報端末としてのインターホン親機２０に対して呼出を指示する呼出用入力とは異なる所定の入力を受け付けた場合に、所定の用途で用いる画像を撮像する。これにより、撮像部１１で撮像される画像を、居住者の呼出だけでなく、他の用途にも利用することができる。【選択図】図１
2019193094.tif 000002
【特許請求の範囲】
【請求項１】
入力部と、
撮像部とを備え、
前記撮像部は、前記入力部が情報端末に対して呼出を指示する呼出用入力とは異なる所定の入力を受け付けた場合に、所定の用途で用いる画像を撮像する、
インターホン装置。
【請求項２】
前記所定の入力は、前記情報端末が所定の人を呼び出すための呼出用入力としての操作とは異なる所定の操作による入力を含む、
請求項１に記載のインターホン装置。
【請求項３】
前記入力部は、ボタン操作による入力を受け付け、
前記所定の操作は、ボタンが所定時間以上押された状態となる操作を含む、
請求項２に記載のインターホン装置。
【請求項４】
前記入力部は、外部機器が出力した入力情報を受け付ける、
請求項１〜３のいずれか一項に記載のインターホン装置。
【請求項５】
前記撮像部は、前記情報端末が前記呼出を行う場合、及び前記情報端末との間で通話を行う場合に撮像する第１撮像態様とは異なる第２撮像態様で、前記所定の用途で用いる画像を撮像する、
請求項１〜４のいずれか一項に記載のインターホン装置。
【請求項６】
前記第１撮像態様及び前記第２撮像態様は、撮像時の画角を含み、
前記撮像部は、前記入力部が前記所定の入力を受け付けた場合に、前記情報端末が前記呼出を行う場合、及び前記情報端末との間で通話を行う場合に撮像する場合の画角よりも小さい画角で、前記所定の用途で用いる画像を撮像する、
請求項５に記載のインターホン装置。
【請求項７】
前記第１撮像態様及び前記第２撮像態様は、撮像時の撮像方向を含み、
前記撮像部は、前記入力部が前記所定の入力を受け付けた場合に、前記情報端末が前記呼出を行う場合、及び前記情報端末との間で通話を行う場合に撮像する方向とは異なる方向で、前記所定の用途で用いる画像を撮像する、
請求項５又は６に記載のインターホン装置。
【請求項８】
前記撮像部は、前記入力部が前記所定の入力を受け付けた後に所定の条件が成立した場合に前記入力部が前記呼出用入力を受け付けると、前記第１撮像態様で画像を撮像する、
請求項５〜７のいずれか一項に記載のインターホン装置。
【請求項９】
設定部を、さらに備え、
前記設定部は、
前記入力部が受け付けた入力の情報に基づいて、前記第１撮像態様及び前記第２撮像態様のうち一方の態様を、前記撮像部に対して設定する、
請求項５〜８のいずれか一項に記載のインターホン装置。
【請求項１０】
前記撮像部は、前記所定の用途で用いる画像を動画像として撮像する、
請求項１〜９のいずれか一項に記載のインターホン装置。
【請求項１１】
請求項１〜１０のいずれか一項に記載のインターホン装置と通信する第１通信部と、
前記インターホン装置の前記撮像部が撮像した前記所定の用途で用いる画像を、前記インターホン装置とは異なる外部装置へ送信する第２通信部とを備える、
情報端末。
【請求項１２】
請求項１〜１０のいずれか一項に記載のインターホン装置と、
前記情報端末とを備える、
インターホンシステム。
【発明の詳細な説明】
【技術分野】
【０００１】
本開示は、一般にインターホン装置、情報端末及びインターホンシステムに関し、より詳細には画像を撮像する撮像部を備えるインターホン装置、情報端末及びインターホンシステムに関する。
【背景技術】
【０００２】
従来、カメラ等の撮像手段を備えるインターホン子機と、呼出時に撮像手段で撮像された画像（静止画像、動画像）を表示するインターホン親機とを備えるインターホンシステムが知られている（例えば、特許文献１参照）。
【０００３】
特許文献１のインターホンシステムを用いることで、住人（居住者）が来訪者の挙動を認識することができる。
【先行技術文献】
【特許文献】
【０００４】
【特許文献１】特開２０１５−１１１９３５号公報
【発明の概要】
【発明が解決しようとする課題】
【０００５】
近年、撮像手段（撮像部）で撮像される画像を居住者の呼出だけでなく、多種多様な用途に利用したいという要望がある。
【０００６】
本開示は上記課題に鑑みてなされ、撮像部で撮像される画像を、居住者の呼出だけでなく、他の用途にも利用可能なインターホン装置、情報端末及びインターホンシステムを提供することを目的とする。
【課題を解決するための手段】
【０００７】
本開示の一態様に係るインターホン装置は、入力部と、撮像部とを備える。前記撮像部は、前記入力部が情報端末に対して呼出を指示する呼出用入力とは異なる所定の入力を受け付けた場合に、所定の用途で用いる画像を撮像する。
【０００８】
本開示の一態様に係る情報端末は、第１通信部と第２通信部とを備える。前記第１通信部は、前記インターホン装置と通信する。前記第２通信部は、前記インターホン装置の前記撮像部が撮像した前記所定の用途で用いる画像を、前記インターホン装置とは異なる外部へ送信する。
【０００９】
本開示の一態様に係るインターホンシステムは、前記インターホン装置と、前記情報端末とを備える。
【発明の効果】
【００１０】
本開示によると、撮像部で撮像される画像を、居住者の呼出だけでなく、他の用途にも利用することができる。
【図面の簡単な説明】
【００１１】
【図１】図１は、実施形態１に係るインターホンシステムの構成を説明するブロック図である。
【図２】図２は、同上のインターホンシステムが備えるインターホン子機の外観の一例を説明する図である。
【図３】図３は、同上のインターホン子機が行う呼出動作の処理を説明する流れ図である。
【図４】図４は、同上のインターホン子機が行う撮像部の倍率のリセット処理を説明する流れ図である。
【図５】図５は、実施形態１に係る変形例１のインターホンシステムの構成を説明するブロック図である。
【図６】図６は、実施形態２に係るインターホンシステムの構成を説明するブロック図である。
【発明を実施するための形態】
【００１２】
以下に説明する各実施形態及び変形例は、本開示の一例に過ぎず、本開示は、各実施形態及び変形例に限定されない。これらの実施形態及び変形例以外であっても、本開示に係る技術的思想を逸脱しない範囲であれば、設計等に応じて種々の変更が可能である。
【００１３】
（実施形態１）
以下、本実施形態に係るインターホンシステム１、インターホン装置としてのインターホン子機１０及び情報端末としてのインターホン親機２０について、図１〜図４を用いて説明する。
【００１４】
（１）概要
本実施形態のインターホンシステム１は、図１に示すように、インターホン装置としてのインターホン子機１０と、情報端末としてのインターホン親機２０とを備える。本実施形態では、インターホンシステム１が戸建用のインターホンシステムである場合を例として説明する。
【００１５】
インターホン子機１０は、戸建住宅である施設５の外玄関に設置される。インターホン親機２０は、施設５内に設置され、インターホン子機１０と互いに通信可能に構成されている。インターホン親機２０は、さらに、インターネット等のネットワーク４０を介してサーバ３０と互いに通信可能に構成されている。
【００１６】
インターホン子機１０は、インターホン子機１０の操作者（例えば、来訪者又は外出先から帰宅した住居者）から呼び出しのための操作を受け付けると、施設５内の居住者を呼び出すための制御信号（呼出信号）をインターホン親機２０に送信する。インターホン子機１０は、インターホン親機２０に対する操作によりインターホン親機２０との間で通話が可能になると、インターホン子機１０の操作者の音声のデータを送信する。インターホン親機２０は、インターホン子機１０の操作者の音声のデータを受け取ると、受け取ったデータに基づく音声（操作者の音声）を出力する。インターホン子機１０は、呼出信号の送信開始から通話終了までの間、撮像したインターホン子機１０の操作者の画像をインターホン親機２０に送信する。インターホン親機２０は、呼出信号の送信開始から通話終了までの間、インターホン子機１０の操作者の画像を表示する。
【００１７】
インターホン子機１０は、インターホン子機１０の操作者から呼び出しのための操作とは異なる操作を受け付けると、呼出の用途とは別の用途で用いるための画像を撮像する。別の用途とは、例えば、インターホン子機１０の操作者の認証処理に用いることである。インターホン子機１０は、認証処理用の画像を撮像すると、撮像した画像を、インターホン親機２０を介してサーバ３０へ送信する。
【００１８】
サーバ３０は、施設５の住居者、及び住居者の親戚、知人等である来訪者の画像を予め記憶している。サーバ３０は、インターホン子機１０が撮像した画像（撮像画像）を受信すると、撮像画像と予め記憶している画像（記憶画像）とを用いて、認証処理を行う。サーバ３０は、撮像画像に含まれる操作者に対応する記憶画像がサーバ３０に存在する場合には認証は成功したと判断し、撮像画像に含まれる操作者に対応する記憶画像が存在しない場合には認証は失敗したと判断する。
【００１９】
インターホン子機１０は、サーバ３０の認証結果に応じて、呼出の有無を判断する。
【００２０】
（２）構成
（２−１）インターホン子機
まず、インターホン子機１０の構成について説明する。インターホン子機１０は、図１に示すように、撮像部１１、操作部１２、マイクロホン１３、スピーカ１４、記憶部１５、通信部１６及び制御部１７を備える。
【００２１】
インターホン子機１０は、例えばプロセッサ及びメモリを有するマイクロコンピュータを有している。そして、プロセッサがメモリに格納されているプログラムを実行することにより、マイクロコンピュータが制御部１７として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２２】
撮像部１１は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者等）を撮像するためのカメラである。本実施形態では、来訪者又は外出先から帰宅した住居者等の操作者がインターホン子機１０を操作する際に少なくとも操作者の顔を撮像できるように、撮像部１１の撮像エリア（視野）は、インターホン子機１０の前方に設定される。また、本実施形態では、撮像部１１は動画を撮像するカメラであるが、静止画を撮像するカメラであってもよい。さらに、本実施形態では、撮像部１１はカラー画像を撮像するカメラであるが、モノクローム画像を撮像するカメラであってもよい。
【００２３】
通信部１６は、インターホン親機２０と通信するための通信インタフェースである。通信部１６は、例えばツイストペア線等からなる２線式の伝送路を介して、インターホン親機２０と電気的に接続されている。通信部１６は、撮像部１１で撮像した画像の画像データをインターホン親機２０に送信する。さらに、インターホン子機１０とインターホン親機２０との間で音声信号が双方向に伝送可能となるよう、通信部１６は、インターホン親機２０との間で双方向に通信可能に構成されている。
【００２４】
記憶部１５は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００２５】
記憶部１５は、操作部１２に対して呼出操作が行われた場合に撮像部１１が撮像する際の第１撮像態様としての第１倍率を記憶している。さらに、記憶部１５は、操作部１２に対して呼出操作とは異なる操作を受け付けた場合（ボタン１２ａに対して長押し操作がされた場合）に撮像部１１が撮像する際の第２撮像態様としての第２倍率を記憶している。第２倍率は、第１倍率よりも大きい。
【００２６】
ここで、撮像部１１の撮像時の倍率が変わると、焦点距離も変わる。つまり、撮像部１１の撮像時の画角も変わる。すなわち、記憶部１５は、第１倍率及び第２倍率の代わりに呼出操作が行われた場合に撮像部１１が撮像する際の第１画角及び呼出操作とは異なる操作を受け付けた場合に撮像部１１が撮像する際の第２画角を記憶してもよい。この場合、第２画角は第１画角よりも小さい。以降では、倍率を用いて説明する。
【００２７】
操作部１２は、ボタン１２ａ（図２参照）を有しており、インターホン子機１０の操作者から呼び出しのための操作を受け付ける。例えば、ボタン１２ａに対して所定時間未満の押操作がされると、インターホン子機１０は、住居内の居住者を呼び出すための制御信号（呼出信号）と、第１倍率で撮像された画像のデータ（第１画像データ）とを通信部１６からインターホン親機２０へ送信する。また、ボタン１２ａに対して所定時間以上の押操作（長押し操作）がされると、インターホン子機１０は、第２倍率で撮像された画像のデータ（第２画像データ）と、画像のデータをサーバ３０へ送信する旨の送信指示信号とを、インターホン親機２０へ送信する。
【００２８】
マイクロホン１３は、操作部１２を操作した人（来訪者又は外出先から帰宅した住居者）の音声を取得し、取得した音声のデータをインターホン親機２０に送信する。
【００２９】
スピーカ１４は、インターホン子機１０がインターホン親機２０と通話可能な状態である場合には、インターホン親機２０から送信された音声データに基づいた音声を出力する。
【００３０】
制御部１７は、図１に示すように、入力部１０１、設定部１０２、撮像処理部１０３及び通話処理部１０４を有している。
【００３１】
入力部１０１は、操作部１２でのボタン操作による入力を受け付ける。入力部１０１は、操作部１２でのボタン操作が開始されると、言い換えるとボタン１２ａが押されると開始信号を撮像処理部１０３に出力する。その後、入力部１０１は、ボタン１２ａが押された時間に応じた入力信号を設定部１０２及び撮像処理部１０３に出力する。例えば、ボタン１２ａが押された時間が所定時間未満である場合には第１入力信号を、ボタン１２ａが押された時間が所定時間以上である場合には第２入力信号を、それぞれ出力する。
【００３２】
設定部１０２は、入力部１０１が受け付けた入力の内容に応じて、第１倍率及び第２倍率のうち一方の倍率を、撮像部１１に対して設定する。具体的には、撮像処理部１０３は、第１入力信号を入力部１０１から受け取ると、第１倍率を撮像部１１に対して設定する。撮像処理部１０３は、第２入力信号を入力部１０１から受け取ると、第２倍率を撮像部１１に対して設定する。撮像部１１は、設定部１０２により設定された倍率で画像を撮像する。
【００３３】
設定部１０２は、撮像部１１の倍率を第１倍率から第２倍率へと変更した後において所定の条件が成立すると、撮像部１１の倍率を第２倍率から第１倍率へと変更（リセット）する。所定の条件が成立するとは、例えば、インターホン子機１０とインターホン親機２０との間の通信が終了してから所定時間が経過することである。
【００３４】
撮像処理部１０３は、撮像部１１における撮像に係る処理を制御する。撮像処理部１０３は、開始信号を入力部１０１から受け取ると撮像部１１を起動する。つまり撮像処理部１０３は、撮像部１１への電力の供給を開始する。撮像処理部１０３は、第１入力信号を入力部１０１から受け取ると、設定部１０２が設定した第１倍率で撮像するよう撮像部１１を制御する。撮像処理部１０３は、第２入力信号を入力部１０１から受け取ると、設定部１０２が設定した第２倍率で撮像するよう撮像部１１を制御する。
【００３５】
撮像処理部１０３は、第１入力信号を入力部１０１から受け取っている場合には、第１画像データとともに、制御信号（呼出信号）をインターホン親機２０に送信する。
【００３６】
撮像処理部１０３は、第２入力信号を入力部１０１から受け取っている場合には、第２画像データとともに、当該画像データをサーバ３０に送信する指示である送信指示信号をインターホン親機２０に送信する。
【００３７】
撮像処理部１０３は、サーバ３０が行った認証の結果（認証結果）に応じて、呼出動作の有無を判断する。撮像処理部１０３は、認証が成功している場合には呼出動作を行うと判断し、認証が失敗している場合には呼出動作を行わないと判断する。呼出動作を行うと判断する場合には、撮像処理部１０３は、画像データ（第２画像データ）とともに、制御信号（呼出信号）をインターホン親機２０に送信する。
【００３８】
撮像処理部１０３は、インターホン親機２０に対する操作により、インターホン子機１０とインターホン親機２０との間で通信（通話）が可能である場合には、撮像部１１が撮像した画像を、通信部１６を介してインターホン親機２０へ出力する。
【００３９】
撮像処理部１０３は、インターホン子機１０とインターホン親機２０との間の通信が終了する（例えば通話が終了する）と、撮像部１１を停止する。つまり撮像処理部１０３は、撮像部１１への電力の供給を停止する。
【００４０】
通話処理部１０４は、インターホン子機１０とインターホン親機２０との間で通信が可能である場合に、マイクロホン１３からインターホン子機１０の操作者の音声のデータ（音声信号）を受け取ると、受け取った音声信号をインターホン親機２０に送信する。
【００４１】
通話処理部１０４は、インターホン子機１０とインターホン親機２０との間で通信（通話）が可能である場合に、インターホン親機２０から施設５内の人の音声信号を受け取ると、受け取った音声信号をスピーカ１４に出力する。このときスピーカ１４は受け取った音声信号を基に音声を出力する。
【００４２】
（２−２）インターホン親機
次に、インターホン親機２０の構成について説明する。インターホン親機２０は、図１に示すように、マイクロホン２１、スピーカ２２、表示部２３、操作部２４、第１通信部２５、第２通信部２６及び制御部２７を備える。
【００４３】
インターホン親機２０は、例えばプロセッサ及びメモリを有するマイクロコンピュータを有している。そして、プロセッサがメモリに格納されているプログラムを実行することにより、マイクロコンピュータが制御部２７として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００４４】
第１通信部２５は、インターホン子機１０と通信するための通信インタフェースである。第１通信部２５は、例えばツイストペア線等からなる２線式の伝送路を介して、インターホン子機１０と電気的に接続されている。インターホン子機１０との間で音声信号が双方向に伝送可能となるよう、第１通信部２５は、インターホン子機１０との間で双方向に通信可能に構成されている。また、第１通信部２５は、インターホン親機２０から送信された画像のデータが受信可能に構成されている。
【００４５】
第２通信部２６は、ネットワーク４０を介してサーバ３０と通信するためのインタフェースである。
【００４６】
マイクロホン２１は、施設５の住居者（インターホン親機２０の操作者）の音声を取得する。
【００４７】
スピーカ２２は、インターホン親機２０がインターホン子機１０と通話可能な状態である場合には、インターホン子機１０から送信された音声データに基づいた音声を出力する。さらに、スピーカ２２は、制御部２７の呼出動作により呼出音を出力する。
【００４８】
表示部２３は、インターホン子機１０から送信される画像データに基づいて、撮像部１１が撮像した画像を表示する。
【００４９】
操作部２４は、施設５内の居住者の操作を受け付ける。第１通信部２５が居住者を呼び出すための制御信号（呼出信号）をインターホン子機１０から受信している状態で、操作部２４に対して所定の操作（例えば押操作）がされると、インターホン親機２０とインターホン子機１０との間で通話可能な状態となる。
【００５０】
制御部２７は、インターホン子機１０から第１通信部２５を介して、呼出信号と第１画像データとを受け取ると、第１画像データに対して画像処理を行う。この場合、表示部２３は、制御部２７で処理された画像を表示する。また、制御部２７は、呼出信号を受け取ると、スピーカ２２を介して呼出音を出力する呼出動作を行う。
【００５１】
制御部２７は、送信指示信号と第２画像データとを受け取ると、第２画像データをサーバ３０へ送信する。
【００５２】
制御部２７は、サーバ３０が行った認証の結果（認証結果）を、第２通信部２６及びネットワーク４０を介してサーバ３０から受け取ると、認証結果をインターホン子機１０に送信する。
【００５３】
制御部２７は、インターホン子機１０との間で通話が可能な状態である場合に、マイクロホン２１から操作者の音声のデータ（音声信号）を受け取ると、受け取った音声信号を第１通信部２５を介してインターホン子機１０に送信する。制御部２７は、インターホン子機１０との間で通話が可能な状態である場合に、インターホン子機１０の操作者の音声信号をインターホン子機１０から受け取ると、受け取った音声信号をスピーカ２２に出力する。このときスピーカ２２は受け取った音声信号を基に音声を出力する。
【００５４】
（２−３）サーバ
サーバ３０は、上述したように、施設５の住居者、及び住居者の親戚、知人等である来訪者の画像を予め記憶している。サーバ３０は、インターホン子機１０が撮像した画像（撮像画像）を受信すると、撮像画像と予め記憶している複数の記憶画像とを用いて、認証処理を行う。ところで、上述したように、撮像部１１は動画を撮像している。そのため、サーバ３０がインターホン子機１０から受け取る画像は動画像である。そこで、サーバ３０は、顔検出処理などを施して、受け取った動画像から認証に最適な静止画像を選択して、選択した静止画像と予め記憶している複数の記憶画像とを照合する認証処理を行う。
【００５５】
サーバ３０は、認証結果をインターホン親機２０を介してインターホン子機１０に送信する。
【００５６】
（３）動作
ここでは、インターホン子機１０の動作について説明する。
【００５７】
（３−１）呼出に係る処理
まず、呼出に係る処理について、図３を用いて説明する。
【００５８】
入力部１０１は、操作部１２でのボタン操作を受け付けたか否かを判断する（ステップＳ１）。
【００５９】
操作部１２でのボタン操作を受け付けていないと入力部１０１が判断する場合には（ステップＳ１における「Ｎｏ」）、処理はボタン操作の受付待ちとなる。
【００６０】
操作部１２でのボタン操作を受け付けたと入力部１０１が判断する場合には（ステップＳ１における「Ｙｅｓ」）、撮像処理部１０３は、撮像部１１を起動する（ステップＳ２）。
【００６１】
入力部１０１は、ボタン操作が長押しであるか否かを判断する（ステップＳ３）。
【００６２】
ボタン操作が長押しであると入力部１０１が判断する場合には（ステップＳ３における「Ｙｅｓ」）、設定部１０２は、撮像部１１の倍率の変更を行う（ステップＳ４）。具体的には、設定部１０２は、第２倍率を撮像部１１に対して設定する。
【００６３】
撮像部１１は、撮像処理部１０３の制御により設定部１０２が設定した倍率（第２倍率）で撮像する（ステップＳ５）。
【００６４】
撮像処理部１０３は、第２倍率で撮像部１１が撮像した画像のデータ（第２画像データ）を、インターホン親機２０を介してサーバ３０に送信する（ステップＳ６）。
【００６５】
撮像処理部１０３は、サーバ３０で行われた第２画像データを用いた認証が成功したか否かを判断する（ステップＳ７）。
【００６６】
成功したと判断する場合（ステップＳ７における「Ｙｅｓ」）、撮像処理部１０３は、呼出処理を行う（ステップＳ８）。具体的には、撮像処理部１０３は、第２倍率で撮像部１１が撮像した画像のデータ（第２画像データ）とともに、制御信号（呼出信号）をインターホン親機２０に送信する。
【００６７】
失敗したと判断する場合（ステップＳ７における「Ｎｏ」）、撮像処理部１０３は、呼出処理は行わない。
【００６８】
ボタン操作が長押しでないと入力部１０１が判断する場合には（ステップＳ３における「Ｎｏ」）、撮像処理部１０３は、呼出処理を行う（ステップＳ８）。具体的には、撮像処理部１０３は、第１倍率で撮像部１１が撮像した画像のデータ（第１画像データ）とともに、制御信号（呼出信号）をインターホン親機２０に送信する。
【００６９】
（３−２）倍率のリセットに係る処理
次に、倍率のリセットに係る処理について、図４を用いて説明する。
【００７０】
設定部１０２は、撮像部１１の倍率を第１倍率から第２倍率へと変更した後、インターホン子機１０とインターホン親機２０との間の通信が終了したか否かを判断する（ステップＳ１０）。具体的には、設定部１０２は、インターホン子機１０とインターホン親機２０との間の通話が終了した場合、及びインターホン子機１０における操作で呼出をキャンセルした場合のいずれかにおいて、通信が終了したと判断する。
【００７１】
通信が終了していないと設定部１０２が判断する場合（ステップＳ１０における「Ｎｏ」）、処理は、通信の終了待ちとなる。
【００７２】
通信が終了したと判断する場合（ステップＳ１０における「Ｙｅｓ」）、設定部１０２は、通信の終了から所定時間が経過したか否かを判断する（ステップＳ１１）。
【００７３】
通信が終了してから所定時間経過していないと設定部１０２が判断する場合（ステップＳ１１における「Ｎｏ」）、処理は、所定時間の経過待ちとなる。
【００７４】
通信が終了してから所定時間経過したと判断する場合（ステップＳ１１における「Ｙｅｓ」）、設定部１０２は、リセット処理を行う（ステップＳ１２）。具体的には、設定部１０２は、撮像部１１の倍率を第２倍率から第１倍率へと変更（リセット）する。
【００７５】
なお、設定部１０２は、ステップＳ１０において通信が終了したと判断した時点で、リセット処理を行ってもよい。
【００７６】
（４）利点
本実施形態では、入力部１０１がインターホン親機２０に対して呼出を指示する呼出用の操作とは異なる操作を受け付けた場合に、撮像部１１は、所定の用途で用いる画像を撮像する。これにより、用途に応じた画像を撮像することができる。例えば、本実施形態のように、呼出操作が行われた場合における撮像部１１の倍率（第１倍率）と、長押し操作が行われた場合（認証を行う場合）における撮像部１１の倍率（第２倍率）とを異ならせることで、それぞれの用途に応じた画像を撮像することができる。通常の呼出では、インターホン子機の操作者の顔は鮮明でなくても施設５内の住居者は誰が来たかを知ることはできる。一方、認証処理では、来訪者の顔が鮮明でない場合には認証の精度が落ちることがある。そのため、認証時の撮像において倍率を高くすることで、インターホン子機の操作者の顔が鮮明に撮像された画像を得ることができるので、認証の精度を高めることができる。
【００７７】
また、本実施形態では、インターホン子機１０は、倍率が第１倍率から第２倍率へと変更された場合であっても、所定時間が経過すると、倍率は第１倍率にリセットしている。そのため、倍率が変更された後でリセットがされない場合と比較して、それぞれの用途（通常の呼出、認証）に応じた倍率で画像を撮像することができる。
【００７８】
（５）変形例
ここでは、実施形態１に対する変形例について説明する。
【００７９】
（５−１）変形例１
実施形態１では、操作部１２に対して呼出操作に係る入力とは異なる操作（入力）を受け付けた場合（ボタン１２ａに対して長押し操作がされた場合）に、認証処理に応じた画像を撮像するために、撮像部１１の倍率を変更する構成とした。ここでは、操作部１２の操作による入力以外で、認証処理に応じた画像を撮像するために、撮像部１１の倍率を変更する構成について説明する。以下、実施形態１と異なる点を中心に説明する。実施形態１と同様の構成要素には同一の符号を付して説明を適宜省略する。
【００８０】
本変形例のインターホンシステム１は、図５に示すように、インターホン子機１０ａ、インターホン親機２０ａ及びセンサ５０を備える。
【００８１】
センサ５０は、例えば人の接近を検知する人感センサである。センサ５０は、検知結果をインターホン親機２０ａに通知する。
【００８２】
インターホン親機２０ａは、実施形態１のインターホン親機２０の構成要素に加えて、第３通信部２８を備える。
【００８３】
第３通信部２８は、センサ５０と通信するための通信インタフェースである。第３通信部２８は、センサ５０から検知結果を受け取る。
【００８４】
制御部２７は、第３通信部２８を介してセンサ５０から受け取った検知結果を、第１通信部２５を介してインターホン子機１０ａに送信する。
【００８５】
インターホン子機１０ａの入力部１０１ａは、インターホン親機２０から送信されたセンサ５０の検知結果を受け付ける。インターホン子機１０ａの入力部１０１ａは、受け取った検知結果が人の接近を検知したことを表している場合には、入力部１０１ａは、第２入力信号を、設定部１０２及び撮像処理部１０３に出力する。
【００８６】
撮像処理部１０３は、開始信号及び第２入力信号のいずれかを受け取ると、撮像部１１を起動する。
【００８７】
設定部１０２は、第２入力信号を受け取ると、撮像部１１の倍率を第２倍率に設定する。
【００８８】
この構成により、インターホン子機１０は、センサ５０の検知結果を入力情報として受け付けることで、呼出操作に係る入力とは異なる入力（センサ５０の検知結果が人の接近を表している内容）を受け付けた場合に、認証処理に応じた画像を撮像することができる。
【００８９】
なお、本変形例において、センサ５０の検知結果と、操作部１２に対する操作とを組み合わせて、撮像部１１の倍率を決定してもよい。例えば、センサ５０の検知結果が人の接近を表しており、かつセンサ５０が人の接近を検知してから所定時間内に操作部１２のボタン１２ａが押された場合には、インターホン子機１０は、通常の呼出処理を行う。センサ５０の検知結果が人の接近を表し、かつセンサ５０が人の接近を検知してから所定時間内に操作部１２のボタン１２ａが押されない場合には、インターホン子機１０は、サーバ３０に認証処理を行わせるために第２倍率で撮像した画像をサーバ３０に送信する。
【００９０】
本変形例において、インターホンシステム１においてセンサ５０を備える代わりに、撮像部１１が２つのカメラ（第１カメラ、第２カメラ）を備えてもよい。第１カメラは、第１倍率で画像を撮像するカメラであり、操作部１２のボタン操作が行われると撮像を開始するように構成されている。第２カメラは、第２倍率で画像を撮像する人感センサ付のカメラであり、人感センサが人の接近を検知すると撮像を開始するように構成されている。この場合、インターホン子機１０ａは、第２カメラの撮像開始後（人の接近を検知した後）、所定時間内に操作部１２のボタン１２ａが押された場合には、第２カメラの撮像を停止し、第１カメラの撮像を開始し、通常の呼出処理を行う。インターホン子機１０ａは、第２カメラの撮像開始後、所定時間内に操作部１２のボタン１２ａが押されない場合には、第２カメラが撮像した画像を、インターホン親機２０を介してサーバ３０に送信する。
【００９１】
（５−２）変形例２
実施形態１では、操作部１２のボタン１２ａの長押しにより認証処理に応じた画像を撮像する構成とし、変形例１では、センサ５０の検知結果に基づいて認証処理に応じた画像を撮像する構成とした。しかしながら、これらの構成に限定されない。
【００９２】
インターホンシステム１は、ボタン１２ａとは別に設けられたボタンが押された場合には、認証処理に応じた画像を撮像する構成としてもよい。
【００９３】
または、インターホンシステム１は、非接触通信による通信が行われた場合には、認証処理に応じた画像を撮像する構成としてもよい。この場合、インターホン子機１０は、カードリーダが設けられている。来訪者又は施設５の住居者であって外出先から帰宅した住居者は、予め配布されたカードに記憶された情報（例えば、利用者ＩＤ）をカードリーダに読み取らせる。入力部１０１は、カードリーダが読み取った情報を受け付けると、第２入力信号を、設定部１０２及び撮像処理部１０３に出力する。
【００９４】
また、ボタン１２ａの長押しの他、ボタン１２ａを連続して所定回数押す構成であってもよい。
【００９５】
（５−３）変形例３
実施形態１では、インターホン子機１０は、呼出操作に係る入力とは異なる操作（入力）を受け付けると、撮像態様の変更として撮像部１１の倍率を変更する構成としたが、この構成に限定されない。
【００９６】
インターホン子機１０は、呼出操作に係る入力とは異なる操作（入力）を受け付けると、撮像態様の変更として撮像部１１の撮像方向を変更してもよい。例えば、インターホン子機を操作する操作者（来訪者又は外出先から帰宅した住居者）が撮像部１１での撮像範囲において中央部に位置していない場合には、顔検出処理等を用いて操作者の顔が撮像範囲の中央部に位置するように、撮像部１１の撮像方向を変更する。これにより、操作者の顔が撮像範囲の中央に位置するので、認証の精度を高めることができる。
【００９７】
（５−４）その他の変形例
インターホン子機１０とインターホン親機２０との間の通信は、無線通信であってもよい。
【００９８】
また、インターホン子機１０とインターホン親機２０との間の通信が無線通信である場合、インターホン親機２０の代わりに携帯電話、スマートフォン、タブレット端末等を用いる構成としてもよい。
【００９９】
インターホン子機１０は、第２倍率で撮像した画像を、インターホン親機２０を介してサーバ３０に送信する構成としたが、この構成に限定されない。インターホン子機１０は、第２倍率で撮像した画像を、インターホン親機２０を介さずに、サーバ３０に送信する構成としてもよい。
【０１００】
所定の条件が成立することとして、インターホン子機１０とインターホン親機２０との間の通信が終了してから所定時間が経過することを一例として実施形態１では説明した。所定の条件が成立するとは、ボタン１２ａに対する操作が行われることであってもよいし、親機からのリセットに係る指示を受け付けることであってもよい。ボタン１２ａに対する操作が行われることを所定の条件とする場合には、例えば、図３に示すステップＳ１において入力部１０１が操作有りと判断した場合に、設定部１０２は所定の条件が成立したと判定する。親機からのリセットに係る指示を受け付けることを所定の条件とする場合には、例えば、インターホン親機２０が通信の終了から所定時間が経過したか否かを判断する。通信の終了から所定時間が経過したと判断する場合に、インターホン親機２０は、リセット指示をインターホン子機１０に送信する。インターホン子機１０の入力部１０１がリセット指示を受け付けると、設定部１０２は、所定の条件が成立したとして撮像部１１の倍率を第２倍率から第１倍率へと変更（リセット）する。
【０１０１】
（実施形態２）
実施形態１のインターホンシステムとしての機能（特に、インターホン子機１０の機能）を、マンション等の集合住宅におけるロビーインターホンに適用することが可能である。集合住宅におけるインターホンシステムでは、ロビーインターホンは、制御装置を介して各住戸に備えられたインターホン親機と双方向に通信可能に構成されている。例えば、実施形態１のインターホン子機１０の機能をロビーインターホンに適用した場合、ロビーインターホンが第２倍率で撮像した画像を、制御装置を介して実施形態１のサーバ３０に送信する。サーバ３０は、制御装置を介して認証結果をロビーインターホンに送信する。
【０１０２】
また、変形例１のインターホン子機１０ａの機能を、マンション等の集合住宅におけるロビーインターホンに適用することも可能である。
【０１０３】
本実施形態では、変形例１のインターホンシステムの機能を、マンション等の集合住宅におけるロビーインターホンに適用した場合について説明する。以下、実施形態１及び変形例１と異なる点を中心に説明する。なお、実施形態１及び変形例１と同様の構成要素には同一の符号を付して説明を適宜省略する。
【０１０４】
本実施形態のインターホンシステム１ｂは、図６に示すように、インターホン装置としてのロビーインターホン１０ｂと複数のインターホン親機２０ｂと、センサ５０ｂと、制御装置６０とを備えている。
【０１０５】
複数のインターホン親機２０ｂは、例えば、集合住宅の住戸である複数の施設７０内にそれぞれ設置される。ロビーインターホン１０ｂ及びセンサ５０ｂは、例えば、集合住宅のロビーなどの共用スペース７１に設置される。複数のインターホン親機２０ｂとロビーインターホン１０ｂとは、制御装置６０を介して互いに通信可能に構成されている。
【０１０６】
センサ５０ｂは、例えば人の接近を検知する人感センサである。センサ５０ｂは、検知結果を制御装置６０を介してロビーインターホン１０ｂに通知する。
【０１０７】
ロビーインターホン１０ｂは、図６に示すように、撮像部１１、操作部１２、マイクロホン１３、スピーカ１４、記憶部１５、通信部１６及び制御部１７ｂを備える。ロビーインターホン１０ｂは、例えばプロセッサ及びメモリを有するマイクロコンピュータを有している。そして、プロセッサがメモリに格納されているプログラムを実行することにより、マイクロコンピュータが制御部１７ｂとして機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【０１０８】
制御部１７ｂの入力部１０１ｂは、センサ５０の検知結果を受け付ける。入力部１０１ｂは、受け取った検知結果が人の接近を検知したことを表している場合において、検知結果を受け取ってから所定時間内に操作部１２のボタン１２ａが押されると、インターホン子機１０は、通常の呼出処理を行う。入力部１０１は、センサ５０の検知結果が人の接近を表している場合であって検知結果を受け取ってから所定時間内にボタン１２ａが押されない場合には、インターホン子機１０は、第２倍率で撮像した画像を、制御装置６０を介してサーバ３０に送信する。
【０１０９】
また、本実施形態においても、変形例１で説明したように、インターホンシステム１ｂにおいてセンサ５０ｂを備える代わりに、撮像部１１が２つのカメラ（第１カメラ、第２カメラ）を備えてもよい。第１カメラは、第１倍率で画像を撮像するカメラであり、操作部１２のボタン操作が行われると撮像を開始するように構成されている。第２カメラは、第２倍率で画像を撮像する人感センサ付のカメラであり、人感センサが人の接近を検知すると撮像を開始するように構成されている。この場合、ロビーインターホン１０ｂは、第２カメラの撮像開始後（人の接近を検知した後）、所定時間内に操作部１２のボタン１２ａが押された場合には、第２カメラの撮像を停止し、第１カメラの撮像を開始し、通常の呼出処理を行う。ロビーインターホン１０ｂは、第２カメラの撮像開始後、所定時間内に操作部１２のボタン１２ａが押されない場合には、第２カメラが撮像した画像を、制御装置６０を介してサーバ３０に送信する。
【０１１０】
（変形例）
以下に、その他の変形例について説明する。なお、以下に説明する変形例は、上記各実施形態及び各変形例と適宜組み合わせて適用可能である。
【０１１１】
上記各実施形態では、インターホンシステム１（１ｂ）は、認証処理に用いるために、第２倍率で画像を撮像する構成としたが、この構成に限定されない。インターホンシステム１（１ｂ）は、認証処理以外の用途のために第２倍率で画像を撮像してもよい。例えば、インターホンシステム１（１ｂ）は、施設５（５ｂ）の住居者が外出先から帰宅したことを同じ施設５（５ｂ）の他の住居者に通知するために第２倍率で画像を撮像してもよい。または、インターホンシステム１は、第２倍率で撮像した画像をサーバ３０に予め記憶させて、認証時の基準となる画像（参照用の画像）として用いてもよい。
【０１１２】
上記各実施形態では、インターホン装置としてのインターホン子機１０（１０ａ）及びロビーインターホン１０ｂが認証結果に応じて呼出処理の有無を判別する構成としたが、この構成に限定されない。インターホン親機２０（２０ａ，２０ｂ）が認証結果に応じて呼出処理の有無を判別してもよい。
【０１１３】
上記各実施形態では、サーバ３０が認証処理を行う構成としたが、この構成に限定されない。インターホン装置としてのインターホン子機１０（１０ａ）及びロビーインターホン１０ｂが認証処理を行ってもよいし、インターホン親機２０（２０ａ，２０ｂ）が認証処理を行ってもよい。
【０１１４】
上記各実施形態は、本開示の様々な実施形態の一つに過ぎない。上記各実施形態は、本開示の目的を達成できれば、設計等に応じて種々の変更、組み合わせが可能である。また、インターホン装置としてのインターホン子機１０（１０ａ）、ロビーインターホン１０ｂと同様の機能は、制御方法、コンピュータプログラム、又はプログラムを記録した記録媒体等で具現化されてもよい。一態様に係るインターホン装置の制御方法は、入力ステップと、撮像ステップとを含む。撮像ステップは、入力ステップが情報端末（インターホン親機２０，２０ａ，２０ｂ）に対して呼出を指示する呼出用入力とは異なる所定の入力を受け付けた場合に、所定の用途で用いる画像を撮像する。一態様に係るプログラムは、コンピュータシステムを、上述したインターホン装置又はインターホン装置の制御方法として機能させるためのプログラムである。
【０１１５】
本開示におけるインターホン装置としてのインターホン子機１０（１０ａ）、ロビーインターホン１０ｂ又はインターホン装置の制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホン装置又はインターホン装置の制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１６】
また、情報端末としてのインターホン親機２０（２０ａ，２０ｂ）と同様の機能は、制御方法、コンピュータプログラム、又はプログラムを記録した記録媒体等で具現化されてもよい。一態様に係る情報端末の制御方法は、第１通信ステップと、第２通信ステップとを含む。第１通信ステップは、上述したインターホン装置と通信する。第２通信ステップは、インターホン装置の撮像部が撮像した所定の用途で用いる画像を、インターホン装置とは異なる外部へ送信する。一態様に係るプログラムは、コンピュータシステムを、上述した情報端末として機能させるためのプログラムである。
【０１１７】
本開示における情報端末としてのインターホン親機２０（２０ａ，２０ｂ）又は情報端末の制御方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における情報端末又は情報端末の制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１１８】
（まとめ）
以上説明したように、第１の態様のインターホン装置（インターホン子機１０，１０ａ、ロビーインターホン１０ｂ）は、入力部（１０１，１０１ａ，１０１ｂ）と、撮像部（１１）とを備える。撮像部（１１）は、入力部（１０１，１０１ａ，１０１ｂ）が情報端末（例えば、インターホン親機２０，２０ａ，２０ｂ）に対して呼出を指示する呼出用入力とは異なる所定の入力を受け付けた場合に、所定の用途で用いる画像を撮像する。
【０１１９】
この構成によると、入力部（１０１，１０１ａ，１０１ｂ）が呼出用入力とは異なる所定の入力を受け付けると、撮像部（１１）は、所定の用途で用いる画像を撮像する。これにより、撮像部（１１）で撮像される画像を、居住者の呼出だけでなく、他の用途にも利用することができる。
【０１２０】
第２の態様のインターホン装置では、第１の態様において、所定の入力は、情報端末が所定の人を呼び出すための呼出用入力としての操作とは異なる所定の操作による入力を含む。
【０１２１】
この構成によると、呼出用入力としての操作とは異なる所定の操作によって、所定の用途で用いる画像を撮像することができる。インターホン装置の操作者が操作を変えることで、撮像部（１１）は、呼出操作時に利用される画像の撮像と所定の用途での画像の撮像とを切り替えることができる。
【０１２２】
第３の態様のインターホン装置では、第２の態様において、入力部（１０１）は、ボタン操作による入力を受け付ける。所定の操作は、ボタン（１２ａ）が所定時間以上押された状態となる操作を含む。
【０１２３】
この構成によると、インターホン装置の操作者がボタンを押す時間長に応じて、撮像部（１１）は、呼出操作時に利用される画像の撮像と、所定の用途での画像の撮像とを切り替えることができる。
【０１２４】
第４の態様のインターホン装置では、第１〜第３のいずれかの態様において、入力部（１０１ａ，１０１ｂ）は、外部機器（例えば、センサ５０）が出力した入力情報を受け付ける。
【０１２５】
この構成によると、撮像部（１１）は、外部装置からの入力情報に基づいて、呼出操作時に利用される画像の撮像と、所定の用途での画像の撮像とを切り替えることができる。
【０１２６】
第５の態様のインターホン装置では、第１〜第４のいずれかの態様において、撮像部（１１）は、情報端末が呼出を行う場合、及び情報端末との間で通話を行う場合に撮像する第１撮像態様とは異なる第２撮像態様で、所定の用途で用いる画像を撮像する。
【０１２７】
この構成によると、撮像部（１１）は、呼出に用いる画像の撮像及び所定の用途で用いる画像の撮像を、それぞれ適切な態様で行うことができる。
【０１２８】
第６の態様のインターホン装置では、第５の態様において、第１撮像態様及び第２撮像態様は、撮像時の画角を含む。撮像部（１１）は、入力部（１０１，１０１ａ，１０１ｂ）が所定の入力を受け付けた場合に、情報端末が呼出を行う場合、及び情報端末との間で通話を行う場合に撮像する場合の画角よりも小さい画角で、所定の用途で用いる画像を撮像する。
【０１２９】
この構成によると、入力部（１０１，１０１ａ，１０１ｂ）が呼出用入力とは異なる所定の入力を受け付けると、撮像部（１１）は撮像の態様を変更する。これにより、呼出に用いる画像の撮像及び所定の用途で用いる画像の撮像を、それぞれ適切な倍率で行うことができる。
【０１３０】
第７の態様のインターホン装置では、第５又は第６の態様において、第１撮像態様及び第２撮像態様は、撮像時の撮像方向を含む。撮像部（１１）は、入力部（１０１，１０１ａ，１０１ｂ）が所定の入力を受け付けた場合に、情報端末が呼出を行う場合、及び情報端末との間で通話を行う場合に撮像する方向とは異なる方向で、所定の用途で用いる画像を撮像する。
【０１３１】
この構成によると、呼出に用いる画像の撮像及び所定の用途で用いる画像の撮像を、それぞれ適切な撮像方向で行うことができる。
【０１３２】
第８の態様のインターホン装置では、第５〜第７のいずれかの態様において、撮像部（１１）は、入力部（１０１，１０１ａ，１０１ｂ）が所定の入力を受け付けた後に所定の条件が成立した場合に入力部（１０１）が呼出用入力を受け付けると、第１撮像態様で画像を撮像する。
【０１３３】
この構成によると、倍率は呼出に用いる画像を撮像する倍率にリセットされるので、倍率が変更された後でリセットがされない場合と比較して、それぞれの用途（通常の呼出、所定の用途）に応じた倍率で画像を撮像することができる。
【０１３４】
第９の態様のインターホン装置は、第５〜第８のいずれかの態様において、設定部（１０２）を、さらに備える。設定部（１０２）は、入力部（１０１，１０１ａ，１０１ｂ）が受け付けた入力の情報に基づいて、第１撮像態様及び第２撮像態様のうち一方の態様を、撮像部に対して設定する。
【０１３５】
この構成によると、入力部（１０１，１０１ａ，１０１ｂ）が受け付けた入力の情報に基づいて、自動で設定を変更することができる。
【０１３６】
第１０の態様のインターホン装置では、第１〜第９のいずれかの態様において、撮像部（１１）は、所定の用途で用いる画像を動画像として撮像する。
【０１３７】
この構成によると、インターホン装置は、所定の用途に用いる最適な静止画像を動画像から選択させることができる。
【０１３８】
第１１の態様の情報端末（例えばインターホン親機２０，２０ａ、２０ｂ）は、第１通信部（２５）と、第２通信部（２６）とを備える。第１通信部（２５）は、第１〜第１０のいずれかの態様のインターホン装置と通信する。第２通信部（２６）は、インターホン装置の撮像部（１１）が撮像した所定の用途で用いる画像を、インターホン装置とは異なる外部装置（サーバ３０）へ送信する。
【０１３９】
この構成によると、撮像部（１１）で撮像される画像を、居住者の呼出だけでなく、他の用途にも利用することができる。
【０１４０】
第１２の態様のインターホンシステム（１，１ｂ）は、第１〜第１０のいずれかの態様のインターホン装置と、情報端末とを備える。
【０１４１】
この構成によると、撮像部（１１）で撮像される画像を、居住者の呼出だけでなく、他の用途にも利用することができる。
【符号の説明】
【０１４２】
１，１ｂ  インターホンシステム
１０，１０ａ  インターホン子機（インターホン装置）
１０ｂ  ロビーインターホン（インターホン装置）
１１    撮像部
１２    操作部
１２ａ  ボタン
２０，２０ａ，２０ｂ  インターホン親機（情報端末）
２５    第１通信部
２６    第２通信部
３０    サーバ（外部装置）
５０，５０ｂ  センサ（外部機器）
１０１，１０１ｂ  入力部
１０２    設定部
【図１】
2019193094.tif 000003
【図２】
2019193094.tif 000004
【図３】
2019193094.tif 000005
【図４】
2019193094.tif 000006
【図５】
2019193094.tif 000007
【図６】
2019193094.tif 000008